(57)【要約】【課題】  断熱効果および結露抑制効果に優れ、日常清掃も必要としないダブルスキンを提供する。【解決手段】  本発明に係るダブルスキンは、上下端部を水平枠４、４にそれぞれ支持されるとともに、鉛直方向に延びるリブガラス５、５によって左右端部をそれぞれ支持されたフェイスガラス３からなる、建物の外装部を構成する外側スキン１と、周縁部がアルミサッシュ９に支持されたガラス６または耐火断熱ボード７からなり、外側スキン１と所定の間隔をあけて建物の屋内側に設置される内側スキン２とからなる。水平枠４の上面には、屋外に連通する複数の透湿孔がフェイスガラス３に沿って屋内側に形成されている。また、水平枠４には、透湿孔から屋外に通ずる内空部が設けられ、さらに内空部内は、透湿開口が形成された複数の水平仕切板によって仕切られている。【選択図】      図１
2006063618.tif 000002
【特許請求の範囲】
【請求項１】
上下端部がそれぞれ水平枠に支持されたフェイスガラスからなり、建物の外装部を構成する外側スキンと、
周縁部が枠体に支持されたガラスまたは断熱ボードからなり、前記外側スキンと所定の間隔をあけて前記建物の屋内側に設置される内側スキンとを備えるダブルスキンであって、
前記外側スキンと前記内側スキンによって、その間の空気層が画成され、
前記水平枠の上面には、屋外に連通する複数の透湿孔が前記フェイスガラスに沿って屋内側に形成されていることを特徴とするダブルスキン。
【請求項２】
前記水平枠に、前記透湿孔から屋外に通ずる内空部が設けられ、透湿開口が形成された複数の仕切板によって前記内空部内が仕切られていることを特徴とする請求項１に記載のダブルスキン。
【発明の詳細な説明】
【技術分野】
【０００１】
本発明は、建物の外装部をガラスによる二重構造とするダブルスキンに関する。
【背景技術】
【０００２】
従来より、視覚的な効果に加えて断熱性や遮音性を高めるために、建物の外装部をガラスによる二重構造としたダブルスキンと呼ばれる建物の外装構造がある。このダブルスキンには、ダブルスキン内に導入する空気の違いにより、外部開放型ダブルスキンと内部開放型ダブルスキンの２つのタイプがある。
外部開放型ダブルスキンは、夏季の排熱機能を重視し、ダブルスキン内に外気を導入する。そのため、外側スキンに外気導入や排気のためのスリットなどの開口を設ける（例えば、特許文献１参照）。
逆に、内部開放型ダブルスキンは、ダブルスキン内に室内空気を導入するもので、内側スキンとして、ガラス以外にロールスクリーンやブラインドを用いる場合もある（例えば、特許文献２参照）。
【特許文献１】特開２００３−２５３７９４号公報  （第３−４頁、第１−５図）
【特許文献２】特開２００３−２５３９７８号公報  （第４−５頁、第５図）
【発明の開示】
【発明が解決しようとする課題】
【０００３】
しかしながら、外部開放型ダブルスキンは、ダブルスキン内に汚れた外気が大量に流入するため、清掃メンテナンスができるダブルスキンの幅と歩廊が必要となる。また、結露抑制のために、内側スキンをペアガラスとするかエアブローを行うことが必要となる。
一方、内部開放型ダブルスキンは、ダブルスキン内の空気を建物内に回収するため、外部開放型ダブルスキンに比べて、夏季の省エネ効果については不利といわれている。また、ダブルスキン内に汚れた室内空気が大量に流入するため、清掃メンテナンスができるように内側スキンを可動開閉サッシュにする必要がある。さらに、外側スキンの結露抑制のために、外側スキンをペアガラスとするかエアブローを行うことが必要となる。
【０００４】
本発明は、上述する問題点に鑑みてなされたもので、断熱効果および結露抑制効果に優れ、日常清掃も必要としないダブルスキンを提供することを目的とする。
【課題を解決するための手段】
【０００５】
上記目的を達成するため、本発明に係るダブルスキンは、上下端部がそれぞれ水平枠に支持されたフェイスガラスからなり、建物の外装部を構成する外側スキンと、周縁部が枠体に支持されたガラスまたは断熱ボードからなり、前記外側スキンと所定の間隔をあけて前記建物の屋内側に設置される内側スキンとを備えるダブルスキンであって、前記外側スキンと前記内側スキンによって、その間の空気層が画成され、前記水平枠の上面には、屋外に連通する複数の透湿孔が前記フェイスガラスに沿って屋内側に形成されていることを特徴とする。
本発明では、外側スキンと内側スキンによって、ダブルスキン内の空気層が画成されているので、高い断熱効果を発揮することができるうえ、汚れた空気がダブルスキン内に流入することがなく、日常清掃が不要となる。
しかも、外側スキンを構成するフェイスガラスの上下端部を支持する水平枠には、屋外に連通する複数の透湿孔が設けられているので、内側スキンのジョイント部を介して、冬季に屋内からダブルスキン内へ流出する湿気が、透湿孔から屋外へ排出される。そのため、ダブルスキン内の湿度は外気湿度に近くなり結露が抑制される。
【０００６】
また、本発明に係るダブルスキンでは、前記水平枠に、前記透湿孔から屋外に通ずる内空部が設けられ、透湿開口が形成された複数の仕切板によって前記内空部内が仕切られていることが望ましい。
本発明では、透湿開口が形成された複数の仕切板によって水平枠内部が仕切られているので、ダブルスキン内の湿気は透湿孔から透湿開口を経て屋外へ排出される一方、仕切板によってダブルスキン内への雨水の侵入は防止される。
【発明の効果】
【０００７】
本発明によれば、外側スキンと内側スキンによって、ダブルスキン内の空気層が画成されているので、断熱効果に優れ、日常清掃も必要としないダブルスキンを実現することができる。また、外側スキンを構成するフェイスガラスの上下端部を支持する水平枠には、屋外に連通する複数の透湿孔が設けられているので、冬季に屋内からダブルスキン内へ流出する湿気が透湿孔から屋外に排出され、ダブルスキン内の結露が抑制される。
【発明を実施するための最良の形態】
【０００８】
以下、本発明に係るダブルスキンの実施形態について図面に基いて説明する。
図１は、本発明に係るダブルスキンの実施形態の一例を示す縦断面図である。また、図２はダブルスキンの上下端部の縦断面図であり、図３は外側スキンの上下端部の斜視図である。
図１に示すように、本発明に係るダブルスキンは、建物の外装部を構成する外側スキン１と、外側スキン１と所定の間隔をあけて建物の屋内側に設置される内側スキン２とからなり、外側スキン１と内側スキン２によって、ダブルスキン内１０の空気層は画成されている。
外側スキン１は、耐震・耐風圧・水密性といった性能を有し、建物内部の用途や機能に係わらない全館統一の外装を形成している。逆に、内側スキン２は、建物内部の用途や機能に応じた外装を形成している。
【０００９】
外側スキン１は、上下端部をアルミ製の水平枠４にそれぞれ支持されるとともに、ダブルスキン内１０を鉛直方向に延びるリブガラス５によって左右端部をそれぞれ支持された幅１１００ｍｍ程度のフェイスガラス３から構成される。フェイスガラス３にはセラミック焼付倍強度ガラスを使用し、その上下端部はそれぞれシーリング材２７によって水平枠４、４に固定されている。また、フェイスガラス３の左右端部はそれぞれシーリング材（図示省略）によってリブガラス５、５に固定されており、フェイスガラス３のジョイント部から外気がダブルスキン内１０に侵入しない構造となっている。
【００１０】
一方、内側スキン２は、床レベルＦＬから天井１４まで、周縁部をアルミサッシュ（枠体）９に支持された幅１１００ｍｍ程度のフロートガラス（ガラス）６または図示しない耐火断熱ボード（断熱ボード）によって構成されており、床近くには点検口が設けられ、常時、点検パネル８で塞がれている。また、天井１４から上階の床スラブ１１までの間は、周縁部をアルミサッシュ９に支持された耐火断熱ボード７から構成される。
なお、点検パネル８やフロートガラス６や耐火断熱ボード７の周縁部は、ガスケットゴム（図示省略）あるいはシーリング材（図示省略）によってアルミサッシュ９に固定されており、ジョイント部から僅かに通気する程度の半密閉構造となっている。
【００１１】
ダブルスキン内１０の下端部にはライトアップ照明２８が設置されており、夜間に建物の外装部が映えるように配慮されている。
【００１２】
水平枠４は断面が略コの字状であり（図２参照）、床スラブ１１と同じ高さで建物の外周部に架設されるＨ形鋼１２の両フランジに、山形鋼１３を介してボルト接合されている（図３参照）。
水平枠４の上面２１には、屋外に連通する直径１０ｍｍ程度の透湿孔２１ａ…がフェイスガラス３に沿って屋内側に複数形成されている。また、水平枠４には、透湿孔２１ａ…から屋外に通ずるバッファチャンバと呼ばれる内空部２６が設けられ、さらに内空部２６内は、幅８〜９ｍｍ程度、長さ９０ｍｍ程度の透湿開口２２ａ、２３ａ、２４ａ、２５ａが形成された水平仕切板（仕切板）２２、２３、２４、２５によって仕切られている。
【００１３】
図４は、１ユニット当たりのダブルスキンについて、透湿孔２１ａおよび透湿開口２２ａ、２３ａ、２４ａ、２５ａの配置並びに湿気の流れＳを示したものであり、４箇所に設けられた透湿孔２１ａから排出される湿気は、左右一対の透湿開口２２ａ、２３ａ、２４ａ、２５ａからそれぞれ屋外に排出される。一方、雨水の吹込みに対しては、透湿孔２１ａおよび透湿開口２２ａ、２３ａ、２４ａ、２５ａを迷路状に配置しているので、雨水がダブルスキン内１０に侵入することはない。
【００１４】
本発明では、ダブルスキン内１０の空気層と屋外との温度差換気により、複数の透湿孔２１ａ…および透湿開口２２ａ、２３ａ、２４ａ、２５ａを介して、ダブルスキン内１０の空気層の換気が行われる。これにより、ダブルスキン内１０の湿気が屋外に排出され、ダブルスキン内１０の結露が防止されるのである。
なお、透湿孔２１ａおよび透湿開口２２ａ、２３ａ、２４ａ、２５ａを設けたことによる熱損失は僅かであり、その影響は無視できる程度のものである。
【００１５】
本実施形態によるダブルスキンでは、外側スキン１と内側スキン２によって、ダブルスキン内１０の空気層が画成されているので、高い断熱効果を発揮することができる。なお、夏季の温度上昇による膨脹空気は、透湿孔２１ａ…から屋外に自然排気される。
また、本実施形態によるダブルスキンでは、屋外あるいは屋内の汚れた空気がダブルスキン内１０に流入する量が微小であるため、日常清掃が不要となるうえ、内側スキン２を大掛かりな開閉サッシュとする必要がなくなり、建設コストの削減が図れる。
【００１６】
さらに、本実施形態によるダブルスキンでは、外側スキン１を構成するフェイスガラス３の上下端部を支持する水平枠４、４には、屋外に連通する複数の透湿孔２１ａ…が設けられているので、内側スキン２のジョイント部を介して、冬季に屋内からダブルスキン内１０へ流出する湿気が、透湿孔２１ａ…から屋外へ排出される。これにより、ダブルスキン内１０の湿度は外気湿度に近くなり、従来のようなペアガラスやエアブローなどを用いることなく結露を抑制することができる。しかも、透湿開口２２ａ、２３ａ、２４ａ、２５ａが形成された複数の仕切板２２、２３、２４、２５によって水平枠４の内部が仕切られているので、ダブルスキン内１０の湿気は透湿孔２１ａ…から透湿開口２２ａ、２３ａ、２４ａ、２５ａを経て屋外へ排出されるが、仕切板２２、２３、２４、２５によってダブルスキン内１０への雨水の侵入は防止される。
【００１７】
加えて、建築基準法の規定による防火区画や延焼のおそれのある部分に対して設定される耐火壁については、従来、外側スキンまたは内側スキンのいずれかに限定されていたが、本実施形態によるダブルスキンでは、外側スキン１、内側スキン２のいずれにも設定可能である。
【００１８】
以上、本発明に係るダブルスキンの実施形態について説明したが、本発明は上記の実施形態に限定されるものではなく、その趣旨を逸脱しない範囲で適宜変更可能である。例えば、上記の実施形態では、フェイスガラスの左右端部をリブガラスで支持しているが、リブガラスに代えてアルミサッシュなどの枠体で支持してもよい。要は、本発明において所期の機能が得られればよいのである。
【図面の簡単な説明】
【００１９】
【図１】本発明に係るダブルスキンの実施形態の一例を示す縦断面図である。
【図２】ダブルスキンの上下端部の縦断面図である。
【図３】外側スキンの上下端部の斜視図である。
【図４】１ユニット当たりのダブルスキンについて、透湿孔および透湿開口の配置並びに湿気の流れを示す概略図である。
【符号の説明】
【００２０】
１  外側スキン
２  内側スキン
３  フェイスガラス
４  水平枠
５  リブガラス
６  フロートガラス（ガラス）
７  耐火断熱ボード（断熱ボード）
８  点検パネル
９  アルミサッシュ（枠体）
１０  ダブルスキン内
１１  床スラブ
１２  Ｈ形鋼
１３  山形鋼
１４  天井
２１  上面
２２、２３、２４、２５  水平仕切板（仕切板）
２１ａ  透湿孔
２２ａ、２３ａ、２４ａ、２５ａ  透湿開口
２６  内空部
２７  シーリング材
２８  ライトアップ照明
Ｓ  湿気の流れ
【図１】
2006063618.tif 000003
【図２】
2006063618.tif 000004
【図３】
2006063618.tif 000005
【図４】
2006063618.tif 000006